(57)【要約】【課題】ホーリー光ファイバの曲げに対する特性を活かし、光ファイバ心線の取り扱い作業効率を向上させるクロージャを実現可能な光ケーブル接続用クロージャを提供する。【解決手段】光ファイバ心線同士を接続した接続部３１５を収納する接続収納部３０２ｃと、光ファイバ心線の余長を収納する心線余長収納部３０２ａ，３０２ｂとからなる光ファイバ心線接続収納体３０２が複数配設され、接続収納部３０２ｃ及び心線余長収納部３０２ａ，３０２ｂをそれぞれ柱状に形成するとともに、心線余長収納部３０２ａ，３０２ｂを、接続収納部３０２ｃの両側且つ接続収納部３０２ｃと同軸上に、接続収納部３０２ｃに対して回動自在に配置したことを特徴とする光ケーブル接続用クロージャ。【選択図】図１
2008065210.tif 000002
【特許請求の範囲】
【請求項１】
光ファイバ心線同士を接続した接続部を収納する接続収納部と、前記光ファイバ心線の余長を収納する心線余長収納部とからなる光ファイバ心線接続収納体が複数配設される光ケーブル接続用クロージャであって、
前記接続収納部及び前記心線余長収納部をそれぞれ柱状に形成するとともに、
前記心線余長収納部を、前記接続収納部の両側且つ前記接続収納部と同軸上に、前記接続収納部に対して回動自在に配置したことを特徴とする光ケーブル接続用クロージャ。
【請求項２】
光ファイバ心線同士を接続した接続部を収納する接続収納部と、前記光ファイバ心線の余長を収納する心線余長収納部とからなる光ファイバ心線接続収納体を複数具備する光ケーブル接続用クロージャであって、
前記接続収納部及び前記心線余長収納部がそれぞれ柱状に形成され、
且つ、前記心線余長収納部は、前記接続収納部の両側且つ前記接続収納部と同軸上に配置されるとともに、長手方向に伸縮自在に構成されたことを特徴とする光ケーブル接続用クロージャ。
【請求項３】
前記心線余長収納部が外周面に螺旋状の溝を備えることを特徴とする請求項２記載の光ケーブル接続用クロージャ。
【請求項４】
前記光ファイバ心線接続収納体はクロージャ筐体に対して着脱自在であることを特徴とする請求項２又は請求項３記載の光ケーブル接続用クロージャ。
【請求項５】
光ファイバ心線同士を接続した接続部を収納する接続収納部と、前記光ファイバ心線の余長を収納する心線余長収納部とからなる光ファイバ心線接続収納体を複数具備する光ケーブル接続用クロージャであって、
前記心線余長収納部が軸体と、前記軸体の一端に固定された固定部材と、前記軸体に摺動自在に支持されて前記固定部材との距離を可変とし、前記固定部材とともに前記光ファイバ心線の余長を保持する可動部材とから構成され、
前記接続収納部は、前記心線余長収納部の軸方向に平行に設けられる
ことを特徴とする光ケーブル接続用クロージャ。
【請求項６】
隣接する前記光ファイバ心線接続収納体が相互に互い違いに配置されることを特徴とする請求項５記載の光ケーブル接続用クロージャ。
【請求項７】
前記固定部材および前記可動部材のうちのいずれか一方、又は双方が、周面に前記光ファイバ心線の余長を保持可能な溝を備えたことを特徴とする請求項５又は請求項６記載の光ケーブル接続用クロージャ。
【請求項８】
光ファイバ心線同士を接続した接続部を収納する接続収納部と、前記光ファイバ心線の余長を収納する心線余長収納部とからなる光ファイバ心線接続収納部を複数具備する光ケーブル接続用クロージャであって、
前記光ファイバ心線接続収納部が、複数の孔部を備えるとともに、巻回した前記光ファイバ心線の余長を前記孔部から内部に収納可能な中空の箱体から構成され、
前記接続収納部が、相互に隣接する前記孔部と交互に配置されたことを特徴とする光ケーブル接続用クロージャ。
【請求項９】
前記孔部に出入自在に設けられるとともに、前記孔部を貫通する方向に延設され、巻回した前記光ファイバ心線の余長を保持する柱状の心線保持部が固定された引き出し部を備えることを特徴とする請求項８記載の光ケーブル接続用クロージャ。
【請求項１０】
前記接続収納部の長手方向両側に、前記光ファイバ心線の余長に所定の曲率半径を付与する二つの心線ガイド部を設けたことを特徴とする請求項１乃至請求項９記載の光ケーブル接続用クロージャ。
【発明の詳細な説明】
【技術分野】
【０００１】
本発明は、光ケーブル接続用クロージャに関する。
【背景技術】
【０００２】
光ケーブルの分岐、引込み、接続などを行う場合、光ケーブル接続用クロージャ（以下、クロージャという）を使用する（例えば、特許文献１参照）。そして、クロージャ筐体内に設置される心線接続収納ケースにおいて、光ファイバ心線を接続し、光ファイバ心線の余長を収納し保護する。
【０００３】
心線接続収納ケースは心線トレイからなり、トレイ本体に心線を導出入する心線導出入部と、その心線導出入部から導出入させる幹線用光ケーブルから引き出された光ファイバ心線同士あるいは分岐用光ケーブルから引き出された心線とを接続するコネクタ等の接続部が収納される接続収納部と、さらに接続された心線の余長部分を巻回して保護収納する心線余長収納部を備えたものが知られている。
【０００４】
図１７に従来のクロージャの模式図を示す。クロージャ筐体１の内部には、心線接続収納ケース２及び外被把持部６，７が設けられている。多心光ファイバケーブル１２の外被１２ａはクロージャ筐体１の導出入部で外被把持部６によって把持され、クロージャ筐体１の内部では心線１２ｂの状態で取り回す。クロージャ筐体１内へ導入した多心光ファイバケーブル心線１２ｂをドロップケーブル１３と接続しないときは、そのままクロージャ筐体１から導出させる状態となり、多心光ファイバケーブル心線１２ｂ及びドロップケーブル心線１３ｂは保留心線保護シート３によって心線毎に分離して収納される。
【０００５】
保留心線保護シート３において心線１２ｂ又は１３ｂは曲げ半径が３０ｍｍ以上となるように巻回し、保留心線保護シート３上の心線押さえ片１４で挟みこむことで収納する。多心光ファイバケーブル心線１２ｂとドロップケーブル心線１３ｂとを接続する場合は、多心光ファイバケーブル心線１２ｂを、クロージャ筐体１下部で外被把持部６又は７（図１７では外被把持部７）によって外被１３ａを把持されて心線の状態となったドロップケーブル心線１３ｂと融着器やメカニカルスプライス等で接続する。
【０００６】
接続部１５とその両側から延びる多心光ファイバケーブル心線１２ｂ、ドロップケーブル心線１３ｂの余長分は接続トレイ２ａに収納する。接続トレイ２ａは複数枚多段に積み重ねた状態でクロージャ筐体１内に設置され、各接続トレイ２ａはヒンジピン１７とピン軸受け部１８とで回動自在に連結した構成となっている。
【０００７】
接続トレイ２ａ内は、リブ２ｇ，２ｈを備えた接続収納部２ｃと、心線余長収納部２ｂとを有する。多心光ファイバケーブル心線１２ｂとドロップケーブル心線１３ｂの接続部１５を接続収納部２ｃに挟持固定し、心線余長を曲げ半径が３０ｍｍ以上となるように巻回し、心線余長収納部２ｂへ収納する。心線余長収納部２ｂにおいて心線余長は心線押さえ片１９により接続トレイ２ａ内に収納されている。
【０００８】
従来の光ファイバはコアとクラッドの材料による屈折率差のみで光を閉じ込める構造であり、光ファイバの曲げ半径を小さくすると曲げによる放射損失が増大するため、曲げ半径の限界値を３０ｍｍ程度として使用していた。心線余長収納部２ｂにおいても、光ファイバの曲げ半径を確保して収納する構造となっている。
【０００９】
一方、従来の光ファイバの曲げ半径の限界値に比べて、曲げ半径を小さくすることが可能な光ファイバとしてホーリー光ファイバがある（例えば、特許文献２参照）。ホーリー光ファイバは、コア周囲のクラッド部に空孔を存在させることでクラッドの実効的な屈折率を下げて、コアとクラッド間の屈折率差を大きくし、曲げによる放射損失の増加を抑える光ファイバである。ホーリー光ファイバは、曲げや捻りへの耐性が大きいため、従来の光ファイバでは成し得ない径で光ファイバを曲げることができる。
【００１０】
【特許文献１】特開２０００−１２１８４０号公報
【特許文献２】特開２００５−１７６５０号公報
【発明の開示】
【発明が解決しようとする課題】
【００１１】
従来のクロージャでは光ファイバの曲げ半径を３０ｍｍ以上確保する設計となっており、光ファイバの曲げ半径を３０ｍｍ以上とした場合、クロージャへの光ファイバ収納の作業効率を向上させることは困難であった。これに対し、ホーリー光ファイバをクロージャで使用することで、光ファイバの曲げ半径を小さくすることができる。
【００１２】
しかしながら、従来のクロージャと同じ構造ではホーリー光ファイバの使用効果は心線余長収納部２の小型化のみであり、小型化に伴い１周で巻ける光ファイバ心線の長さが短くなることで一定の長さの光ファイバを収納する作業時間が増大する。また、小型化した心線余長収納部へ光ファイバを取り回して収納する作業は煩雑であり、作業効率を向上させることが困難であるという課題がある。
【００１３】
本発明はこのような問題を解決するものであって、ホーリー光ファイバの曲げに対する特性を活かし、光ファイバ心線の取り扱い作業効率を向上させるクロージャの実現が課題である。
【課題を解決するための手段】
【００１４】
上記の課題を解決するための第１の発明に係る光ケーブル接続用クロージャは、光ファイバ心線同士を接続した接続部を収納する接続収納部と、前記光ファイバ心線の余長を収納する心線余長収納部とからなる光ファイバ心線接続収納体が複数配設される光ケーブル接続用クロージャであって、前記接続収納部及び前記心線余長収納部をそれぞれ柱状に形成するとともに、前記心線余長収納部を、前記接続収納部の両側且つ前記接続収納部と同軸上に、前記接続収納部に対して回動自在に配置したことを特徴とする。
【００１５】
上記の課題を解決するための第２の発明に係る光ケーブル接続用クロージャは、光ファイバ心線同士を接続した接続部を収納する接続収納部と、前記光ファイバ心線の余長を収納する心線余長収納部とからなる光ファイバ心線接続収納体を複数具備する光ケーブル接続用クロージャであって、前記接続収納部及び前記心線余長収納部がそれぞれ柱状に形成され、且つ、前記心線余長収納部は、長手方向に伸縮自在に形成されて、前記接続収納部の両側且つ前記接続収納部と同軸上に配置されることを特徴とする。
【００１６】
上記の課題を解決するための第３の発明に係る光ケーブル接続用クロージャは、第２の発明において、前記心線余長収納部が外周面に螺旋状の溝を備えることを特徴とする。
【００１７】
上記の課題を解決するための第４の発明に係る光ケーブル接続用クロージャは、第２又は第３の発明において、前記光ファイバ心線接続収納体はクロージャ筐体に対して着脱自在であることを特徴とする。
【００１８】
上記の課題を解決するための第５の発明に係る光ケーブル接続用クロージャは、光ファイバ心線同士を接続した接続部を収納する接続収納部と、前記光ファイバ心線の余長を収納する心線余長収納部とからなる光ファイバ心線接続収納体を複数具備する光ケーブル接続用クロージャであって、前記心線余長収納部が軸体と、前記軸体の一端に固定された固定部材と、前記軸体に摺動自在に支持されて前記固定部材との距離を可変とし、前記固定部材とともに前記光ファイバ心線の余長を保持する可動部材とから構成され、前記接続収納部は、前記心線余長収納部の軸方向に平行に設けられることを特徴とする光ケーブル接続用クロージャ。
【００１９】
上記の課題を解決するための第６の発明に係る光ケーブル接続用クロージャは、第５の発明において、隣接する前記光ファイバ心線接続収納体が相互に互い違いに配置されることを特徴とする。
【００２０】
上記の課題を解決するための第７の発明に係る光ケーブル接続用クロージャは、第５又は第６の発明において、前記固定部材および前記可動部材のうちのいずれか一方、又は双方が、周面に前記光ファイバ心線の余長を保持可能な溝を備えたことを特徴とする。
【００２１】
上記の課題を解決するための第８の発明に係る光ケーブル接続用クロージャは、光ファイバ心線同士を接続した接続部を収納する接続収納部と、前記光ファイバ心線の余長を収納する心線余長収納部とからなる光ファイバ心線接続収納部を複数具備する光ケーブル接続用クロージャであって、前記光ファイバ心線接続収納部が、複数の孔部を備えるとともに、巻回した前記光ファイバ心線の余長を前記孔部から内部に収納可能な中空の箱体から構成され、前記接続収納部が、相互に隣接する前記孔部と交互に配置されたことを特徴とする光ケーブル接続用クロージャ。
【００２２】
上記の課題を解決するための第９の発明に係る光ケーブル接続用クロージャは、第８の発明において、前記孔部に出入自在に設けられるとともに、前記孔部を貫通する方向に延設され、巻回した前記光ファイバ心線の余長を保持する柱状の心線保持部が固定された引き出し部を備えることを特徴とする請求項８記載の光ケーブル接続用クロージャ。
【００２３】
上記の課題を解決するための第１０の発明に係る光ケーブル接続用クロージャは、第１乃至第９のいずれかの発明において、前記接続収納部の長手方向両側に、前記光ファイバ心線の余長に所定の曲率半径を付与する二つの心線ガイド部を設けたことを特徴とする。
【発明の効果】
【００２４】
本発明は、光ケーブルの接続、収納に使用するクロージャについて、ホーリー光ファイバの使用を前提として考案した。本発明によれば、曲げ損失が小さなホーリー光ファイバの使用を前提とすることで、心線余長収納部が曲げ半径５ｍｍを確保しながら光ファイバ心線の収納作業効率を向上させることが可能である。また、従来のクロージャと比較して、サイズの小型化も可能になった。
【発明を実施するための最良の形態】
【００２５】
以下に示す実施例により本発明の実施の形態を詳細に説明する。
【実施例１】
【００２６】
図１〜３に基づいて本発明の第１の実施例を説明する。図１は本実施例に係る光ケーブル接続用クロージャを模式的に示す斜視図、図２は本実施例に係る配線形態を模式的に示す説明図、図３は本実施例に係る光ファイバ心線接続収納ケースを模式的に示す斜視図である。
【００２７】
図１及び図２に示すように、クロージャ筐体１０１の内部には、６つの光ファイバ心線接続収納体としての光ファイバ心線接続収納ケース１０２、仕切り板１０３，１０４，１０５及び外被把持部１０６，１０７，１０８が配設されている。
【００２８】
本実施例において、光ファイバ心線接続収納ケース１０２は図中左右方向にほぼ一列に配置されている。光ファイバ心線接続収納ケース１０２はそれぞれほぼ半径が等しい円柱形状を有し、同軸上に配置された心線余長収納部１０２ａ，１０２ｂ及び接続収納部１０２ｃと、これらより大径の円柱形状を有する心線はみ出し防止部１０２ｄ，１０２ｅと、少なくとも心線余長収納部１０２ａ，１０２ｂ又は接続収納部１０２ｃを回動自在に軸支する軸１０２ｆとから構成されている。光ファイバ心線接続収納ケース１０２は、心線余長収納部１０２ａ，１０２ｂが、接続収納部１０２ｃに対して回動自在に構成されている。
【００２９】
接続収納部１０２ｂはリブ１０２ｇ，１０２ｈと、リブ１０２ｇ，１０２ｈの長手方向両側に設けられた円柱の突起からなる二つの心線ガイド部１０２ｉとを備えている。心線ガイド部１０２ｉは、光ファイバ心線の余長に所定の曲率半径（例えば５ｍｍ）を付与することができるものとする。
【００３０】
なお、心線余長収納部１０２ａ，１０２ｂ及び接続収納部１０２ｃは、心線余長収納部１０２ａ，１０２ｂに挟まれた位置に接続収納部１０２ｃが位置するように配置されている。また、心線はみ出し防止部１０２ｄ，１０２ｅはそれぞれ心線余長収納部１０２ａ，１０２ｂの接続収納部１０２ｃとは反対側の端面に、心線余長収納部１０２ａ，１０２ｂ等と同軸上に配置されている。
【００３１】
仕切り板１０３は光ファイバ心線接続収納ケース１０２の上方に配置され、クロージャ筐体１０１の上壁１０１ａとの間に保留心線収納部１０９を形成するとともに、下面に軸１０２ｆの一方の軸端が固定されている。なお、軸１０２ｆの他方の軸端はクロージャ筐体１０１の下壁１０１ｄに固定されている。
【００３２】
仕切り板１０４，１０５は光ファイバ心線接続収納ケース１０２の両側方（図中、左側及び右側）に配置され、それぞれクロージャ筐体１０１の左右の側壁１０１ｂ，１０１ｃとの間に通線部１１０，１１１を形成している。なお、仕切り板１０３と、仕切り板１０４，１０５との間には所定の間隔が付与されている。
【００３３】
外被把持部１０６，１０７，１０８は、光ファイバケーブルを導出入するためにクロージャ筐体１０１の下部、即ち下壁１０１ｄ上に設けられている。外被把持部１０６，１０７はそれぞれ通線路１１０，１１１に配置され、多心（例えば８心）の光ファイバケーブル１１２の外被１１２ａを把持する。外被把持部１０８は複数個（図１，２では６個）隣接した状態でクロージャ筐体１０１下部のほぼ中央部に配置されて、例えば単心のドロップケーブル１１３の外被１１３ａを把持する。なお、保留心線収納部１０９及び通線路１１０，１１１には、それぞれ心線ガイド片１１４が設けられている。
【００３４】
心線ガイド片１１４は、保留心線収納部１０９又は通線路１１０，１１１内の多心光ファイバケーブル心線１１２ｂをクロージャ筐体１０１内に収めて、クロージャ筐体１０１内からの多心光ファイバケーブル心線１１２ｂの飛び出しを防止するものである。
【００３５】
図２に示すように、多心光ファイバケーブル１１２は、多心光ファイバケーブル外被１１２ａがクロージャ筐体１０１の導出入部で外被把持部１０６又は１０７によって把持され、クロージャ筐体１０１の内部においては多心光ファイバケーブル心線１１２ｂの状態で取り回す。また、ドロップケーブル外被１１３ａは外被把持部１０８によって把持され、クロージャ筐体１０１の内部においてはドロップケーブル心線１１３ｂの状態で取り回す。
【００３６】
なお、クロージャ筐体１０１内へ導入した多心光ファイバケーブル心線１１２ｂをドロップケーブル心線１１３ｂと接続しないときは、保留心線収納部１０９内へ多心光ファイバケーブル心線１１２ｂの余長を収納し、そのままクロージャ筐体１０１から導出させる形態となる。この際、多心光ファイバケーブル心線１１２ｂは、通線部１１０，１１１及び保留心線収納部１０９に設けられた心線ガイド片１１４によって、多心光ファイバケーブル心線１１２ｂをクロージャ筐体１０１内に収めて、クロージャ筐体１０１内からの多心光ファイバケーブル心線１１２ｂの飛び出しを防止される。
【００３７】
多心光ファイバケーブル心線１１２ｂとドロップケーブル心線１１３ｂとを接続する場合は、多心光ファイバケーブル心線１１２ｂを、クロージャ筐体１０１下部中央に配置された外被把持部１０８によってドロップケーブル外被１１３ａを把持されて心線の状態となったドロップケーブル心線１１３ｂと融着器やメカニカルスプライス等で接続する。このとき、接続部１１５及びその両側に延びる多心光ファイバケーブル心線１１２ｂ、ドロップケーブル心線１１３ｂそれぞれの余長分（心線余長）は光ファイバ心線接続収納ケース１０２に収納する。
【００３８】
即ち、光ファイバ心線接続収納ケース１０２は、図１，２に示すリブ１０２ｇ，１０２ｈの間に、図３に示す多心光ファイバケーブル心線１１２ｂとドロップケーブル心線１１３ｂとの接続部１１５を挟持固定することが可能となっている。接続部１１５には、融着補強スリーブやメカニカルスプライス部材を挟持固定する。接続部１１５をリブ１０２ｇ，１０２ｈ間に収納し、心線余長収納部１０２ａ，１０２ｂを例えば図１中に矢印で示す方向に回転させることで多心光ファイバケーブル心線１１２ｂ及びドロップケーブル心線１１３ｂの余長をそれぞれ円柱、即ち、心線余長収納部１０２ａ，１０２ｂの表面に巻き取ることができる。
【００３９】
なお、心線余長収納部１０２ａ，１０２ｂにおける円柱の半径は５ｍｍ程度である。また、図１，２，３においては心線余長収納部１０２ａ，１０２ｂの形状を円柱形状としたが、曲げ部における曲率半径を５ｍｍ以上とすれば、円柱に限らず多角柱としてもよい。
【００４０】
更に、心線余長収納部１０２ａ，１０２ｂはそれぞれ独立に回転可能な構成とする。このような構成とすることで、接続部１１５の両側に延びる光ファイバの長さ、つまり、本実施例においては接続部１１５の両側に延びる多心光ファイバケーブル心線１１２ｂ及びドロップケーブル心線１１３ｂの長さが相互に異なっていても、長さの違いを気にすることなくそれぞれの余長を収納可能としている。
【００４１】
さらに、接続収納部１０２ｃのリブ１０２ｇ，１０２ｈの上下、即ち、リブ１０２ｇ，１０２ｈの心線余長収納部１０２ａ，１０２ｂ側に、それぞれ心線の余長を心線余長収納部１０２ａ，１０２ｂに導くための心線ガイド部１０２ｉを設置したことにより、接続部１１５の両端部において曲げが急峻になり、多心光ファイバケーブル心線１１２ｂ又はドロップケーブル心線１１３ｂが破断したり、曲げ損失が増加したりすることを防止することができる。
【００４２】
更に、心線余長収納部１０２ａ，１０２ｂに隣接して心線はみだし防止部１０２ｄ，１０２ｅが設けられているため、心線１１２ｂ、又は１１３ｂの巻き取り時に心線１１２ｂ、又は１１３ｂが軸１０２ｆに絡まることなく確実に心線余長収納部１０２ａ，１０２ｂによって巻き取れる構造としている。なお、本実施例においては心線ガイド部１０２ｉを円柱の突起として記載したが、リブによる溝を設けて心線ガイド部とするなど、本発明の主旨を逸脱しない範囲で各種変更が可能であることはいうまでもない。
【実施例２】
【００４３】
図４〜図６に基づいて本発明の第２の実施例を説明する。図４は本実施例に係る光ケーブル接続用クロージャを模式的に示す斜視図、図５はクロージャ内における光ファイバ心線の配線形態を示す説明図、図６は本実施例の心線余長収納部を模式的に示す斜視図である。
【００４４】
図４及び図５に示すように、クロージャ筐体２０１の内部には、６つの光ファイバ心線接続収納体としての光ファイバ心線接続収納ケース２０２、仕切り板２０３，２０４（図４，５中では６個），２０５（図４，５中では６個）及び外被把持部２０６，２０７が配設されている。
【００４５】
本実施例において、光ファイバ心線接続収納ケース２０２は上下方向にほぼ一列に配置され、保持部材２１６によって着脱自在に支持されている。光ファイバ心線接続収納ケース２０２は、それぞれ円柱形状を有し同軸上に配置された心線余長収納部２０２ａ，２０２ｂ及び接続収納部２０２ｃから構成されている。
【００４６】
心線余長収納部２０２ａ，２０２ｂは例えば半径がほぼ等しく、各々蛇腹状に形成されて、図６に示すように軸方向に伸縮自在に構成されている。また、接続収納部２０２ｃは心線余長収納部２０２ａ，２０２ｂより大径であり、リブ２０２ｇ，２０２ｈ及びリブ２０２ｇ，２０２ｈの長手方向両側に設けられた円柱の突起からなる二つの心線ガイド部２０２ｉを備えている。心線ガイド部２０２ｉは、光ファイバ心線の余長に所定の曲率半径（例えば５ｍｍ）を付与することができる。なお、心線余長収納部２０２ａ，２０２ｂ及び接続収納部２０２ｃは、心線余長収納部２０２ａ，２０２ｂに挟まれた位置に接続収納部２０２ｃが位置するように配置されている。
【００４７】
仕切り板２０３は断面コ字形状であって光ファイバ心線接続収納ケース２０２の上方に配置され、クロージャ筐体２０１の上壁２０１ａとの間に保留心線収納部２０９を形成している。
【００４８】
仕切り板２０４，２０５は光ファイバ心線接続収納ケース２０２の両側方（図中、左側及び右側）に配置され、それぞれクロージャ筐体２０１の左右の側壁２０１ｂ，２０１ｃとの間に通線部２１０，２１１を形成している。なお、隣接する仕切り板２０４と仕切り板２０４、仕切り板２０４と仕切り板２０３、仕切り板２０５と仕切り板２０５、仕切り板２０５と仕切り板２０３はそれぞれ所定の間隔をおいて配置されている。
【００４９】
外被把持部２０６，２０７は、光ファイバケーブルを導出入するためにクロージャ筐体２０１の下部、即ち下壁２０１ｄ上に設けられている。外被把持部２０６，２０７はそれぞれ複数個（図４，５では４個）隣接した状態で通線路２１０，２１１に配置され、それぞれ多心（例えば８心）の光ファイバケーブル２１２の外被２１２ａ又は単心のドロップケーブル２１３の外被２１３ａを把持する。
【００５０】
なお、保留心線収納部２０９及び通線路２１０，２１１には、それぞれ心線ガイド片２１４が設けられている。心線ガイド片２１４は、保留心線収納部２０９又は通線路２１０，２１１内の多心光ファイバケーブル心線２１２ｂをクロージャ筐体２０１内に収めて、クロージャ筐体２０１内からの多心光ファイバケーブル心線２１２ｂの飛び出しを防止するものである。
【００５１】
図５に示すように、多心光ファイバケーブル２１２は、多心光ファイバケーブル外被２１２ａがクロージャ筐体２０１の導出入部で外被把持部２０６又は２０７によって把持され、クロージャ筐体２０１の内部においては多心光ファイバケーブル心線２１２ｂの状態で取り回す。
【００５２】
また、ドロップケーブル外被２１３ａは外被把持部２０６又は２０７によって把持され、クロージャ筐体２０１の内部においてはドロップケーブル心線２１３ｂの状態で取り回す。
【００５３】
なお、クロージャ筐体２０１内へ導入した多心光ファイバケーブル心線２１２ｂをドロップケーブル心線２１３ｂと接続しないときは、保留心線収納部２０９内へ多心光ファイバケーブル心線２１２ｂの余長を収納し、そのままクロージャ筐体２０１から導出させる形態となる。この際、多心光ファイバケーブル心線２１２ｂは、通線部２１０，２１１及び保留心線収納部２０９に設けられた心線ガイド片２１４によって、多心光ファイバケーブル心線２１２ｂをクロージャ筐体２０１内に収納され、クロージャ筐体２０１内からの多心光ファイバケーブル心線２１２ｂの飛び出しを防止される。
【００５４】
多心光ファイバケーブル心線２１２ｂとドロップケーブル心線２１３ｂとを接続する場合は、多心光ファイバケーブル心線２１２ｂを、例えばドロップケーブル外被２１３ａを外被把持部２０７によって把持されて心線の状態となったドロップケーブル心線２１３ｂと融着器やメカニカルスプライス等で接続する。このとき、接続部２１５及びその両側に延びる多心光ファイバケーブル心線２１２ｂ、ドロップケーブル心線２１３ｂそれぞれの余長分は光ファイバ心線接続収納ケース２０２に収納する。
【００５５】
即ち、図６に示すように光ファイバ心線接続収納ケース２０２は、リブ２０２ｇ，２０２ｈの間に多心光ファイバケーブル心線２１２ｂとドロップケーブル心線２１３ｂとの接続部２１５を挟持固定することが可能となっている。接続部２１５には、融着補強スリーブやメカニカルスプライス部材を挟持固定する。
【００５６】
心線接続収納ケース２０２はクロージャ筐体２０１から取り外すことができ、接続部２１５や余長の収納時には心線接続収納ケース２０２をクロージャ筐体２０１から取り出した状態で収納作業を実施する。
【００５７】
心線余長収納部２０２ａ，２０２ｂは伸縮可能であり、クロージャ筐体２０１内では縮めた形態で収納されている。心線接続収納ケース２０２においては、心線余長収納部２０２ａ，２０２ｂを伸張することで、余長心線を巻き取るための螺旋溝２０２ｊが形成される。螺旋溝２０２ｊはそれぞれ円柱形状である心線余長収納部２０２ａ，２０２ｂの表面に螺旋状に形成されており、多心光ファイバケーブル心線２１２ｂ及びドロップケーブル心線２１３ｂの余長を螺旋溝２０２ｊに沿って巻き取る構成となっている。
【００５８】
例えば、心線余長収納部２０２ａ，２０２ｂにおける円柱の半径を５ｍｍ、伸張時の長さＬbを１２０ｍｍ、収縮時の長さＬaを３０ｍｍとする。このような構成とすることで、接続部２１５の両側に延びる光ファイバの長さ、つまり、本実施例においては接続部２１５の両側に延びる多心光ファイバケーブル心線２１２ｂ及びドロップケーブル心線２１３ｂの長さが相互に異なっていても、長さの違いを気にすることなくそれぞれの余長を収納可能としている。
【００５９】
多心光ファイバケーブル心線２１２ｂ及びドロップケーブル心線２１３ｂは、仕切り板２０４間、仕切り板２０５間、仕切り板２０４，２０３間、仕切り板２０５，２０３間の間隙を通って心線接続収納ケース２０２へと延びるように構成されている。
【００６０】
なお、図４，５，６においては心線余長収納部２０２ａ，２０２ｂの形状を円柱としたが、曲げ部における曲率半径を５ｍｍ以上とすれば、円柱に限らず多角柱としてもよい。
【００６１】
さらに、接続収納部２０２ｃのリブ２０２ｇ，２０２ｈの左右、即ち、リブ２０２ｇ，２０２ｈの心線余長収納部２０２ａ，２０２ｂ側に、それぞれ心線２１２ｂ，２１３ｂの余長を心線余長収納部２０２ａ，２０２ｂに導くための心線ガイド部２０２ｉを設置したことにより、接続部２１５の両端部において曲げが急峻になり、多心光ファイバケーブル心線２１２ｂ又はドロップケーブル心線２１３ｂが破断したり、曲げ損失が増加したりすることを防止することができる。
【００６２】
また、本実施例においては心線ガイド部２０２ｉを円柱の突起として記載したが、リブによる溝を設けて心線ガイド部とするなど、本発明の主旨を逸脱しない範囲で各種変更が可能であることはいうまでもない。
【実施例３】
【００６３】
図７〜図１０に基づいて本発明の第３の実施例を説明する。図７は本実施例に係る光ケーブル接続用クロージャを模式的に示す斜視図、図８はクロージャ内における光ファイバ心線の配線形態を示す説明図、図９は本実施例の心線余長収納部材を模式的に示す斜視図、図１０は本実施例の心線余長収納部材の光ケーブル心線収納例を示す模式図である。
【００６４】
図７及び図８に示すように、クロージャ筐体３０１の内部には、６つの光ファイバ心線接続収納体３０２、仕切り板３０３，３０４（図７，８中では６個），３０５（図７，８中では６個）及び外被把持部３０６，３０７が配設されている。
【００６５】
本実施例において、光ファイバ心線接続収納体３０２は上下方向にほぼ一列に、かつ互い違いに配置されている。光ファイバ心線接続収納体３０２は、それぞれ断面ほぼ半円状の柱体からなる固定部材３０２ａ及び可動部材３０２ｂと、一端に固定部材３０２ａを固定するとともに、可動部材３０２ｂを摺動自在に支持する支軸３０２ｋとから構成されている。
【００６６】
図９に示すように、可動部材３０２ｂと固定部材３０２ａとはそれぞれ軸方向が並行し、平面部３０２ｌ，３０２ｍが相互に対向するように配置され、それぞれ円周面３０２ｎ，３０２ｏに光ファイバ心線の余長を保持可能な溝３０２ｐ，３０２ｑが形成されている。
【００６７】
さらに、それぞれの光ファイバ心線接続収納体３０２の上方に位置するクロージャ筐体３０１の後壁部３０１ｅには、リブ３０２ｇ，３０２ｈが設けられている。
【００６８】
仕切り板３０３は断面コ字形状であって光ファイバ心線接続収納体３０２の上方に配置され、クロージャ筐体３０１の上壁３０１ａとの間に保留心線収納部３０９を形成している。仕切り板３０４，３０５は光ファイバ心線接続収納体３０２の両側方（図中、左側及び右側）に配置され、それぞれクロージャ筐体３０１の左右の側壁３０１ｂ，３０１ｃとの間に通線部３１０，３１１を形成している。なお、隣接する仕切り板３０４と仕切り板３０４、仕切り板３０４と仕切り板３０３、仕切り板３０５と仕切り板３０５、仕切り板３０５と仕切り板３０３はそれぞれ所定の間隔をおいて配置されている。
【００６９】
外被把持部３０６，３０７は、光ファイバケーブルを導出入するためにクロージャ筐体３０１の下部、即ち下壁３０１ｄ上に設けられている。外被把持部３０６，３０７はそれぞれ複数個（図４，５では４個）隣接した状態で通線路３１０，３１１に配置され、それぞれ多心（例えば８心）の光ファイバケーブル３１２の外被３１２ａ又は単心のドロップケーブル３１３の外被３１３ａを把持する。
【００７０】
なお、保留心線収納部３０９及び通線路３１０，３１１には、それぞれ心線ガイド片３１４が設けられている。心線ガイド片３１４は、保留心線収納部３０９又は通線路３１０，３１１内の多心光ファイバケーブル心線３１２ｂをクロージャ筐体３０１内に収めて、クロージャ筐体３０１内からの多心光ファイバケーブル心線３１２ｂの飛び出しを防止するものである。
【００７１】
図８に示すように、多心光ファイバケーブル３１２は、多心光ファイバケーブル外被３１２ａがクロージャ筐体３０１の導出入部で外被把持部３０６又は３０７によって把持され、クロージャ筐体３０１の内部においては多心光ファイバケーブル心線３１２ｂの状態で取り回す。
【００７２】
また、ドロップケーブル外被３１３ａは外被把持部３０７によって把持され、クロージャ筐体３０１の内部においてはドロップケーブル心線３１３ｂの状態で取り回す。なお、多心光ファイバケーブル心線３１２ｂ及びドロップケーブル心線３１３ｂは、仕切り板３０４間、仕切り板３０５間、仕切り板３０４，３０３間、仕切り板３０５，３０３間の間隙を通って心線接続収納体３０２へと延びるように構成されている。
【００７３】
なお、クロージャ筐体３０１内へ導入した多心光ファイバケーブル心線３１２ｂをドロップケーブル心線３１３ｂと接続しないときは、保留心線収納部３０９内へ多心光ファイバケーブル心線３１２ｂの余長を収納し、そのままクロージャ筐体３０１から導出させる形態となる。この際、多心光ファイバケーブル心線３１２ｂは、通線部３１０，３１１及び保留心線収納部３０９に設けられた心線ガイド片３１４によって、多心光ファイバケーブル心線３１２ｂをクロージャ筐体３０１内に収めて、クロージャ筐体３０１内からの多心光ファイバケーブル心線３１２ｂの飛び出しを防止される。
【００７４】
多心光ファイバケーブル心線３１２ｂとドロップケーブル心線３１３ｂとを接続する場合は、多心光ファイバケーブル心線３１２ｂを、例えばドロップケーブル外被３１３ａを外被把持部３０７によって把持されて心線の状態となったドロップケーブル心線３１３ｂと融着器やメカニカルスプライス等で接続する。このとき、接続部３１５及びその両側に延びる多心光ファイバケーブル心線３１２ｂ、ドロップケーブル心線３１３ｂそれぞれの余長分は光ファイバ心線接続収納体３０２に収納する。
【００７５】
即ち、図９に示すように多心光ファイバケーブル心線３１２ｂとドロップケーブル心線３１３ｂとの接続部３１５はリブ３０２ｇ，３０２ｈの間に挟持固定することが可能となっている。接続部３１５には、融着補強スリーブやメカニカルスプライス部材を挟持固定する。
【００７６】
更に、光ファイバ心線接続収納体３０２は、固定部材３０２ａ及び可動部材３０２ｂを用いて心線余長を収納する。固定部材３０２ａと可動部材３０２ｂとは水平に配置され、固定部材３０２ａは支軸３０２ｋを介してクロージャ筐体３０１に固定され、可動部材３０２ｂは水平方向に可動である。
【００７７】
本実施例において光ファイバ心線接続収納体３０２に心線余長を収納する際は、まず、固定部材３０２ａと可動部材３０２ｂとの間の距離を縮めた状態とする。即ち、可動部材３０２ｂを図９において実線で示す位置、例えば固定部材３０２ａと可動部材３０２ｂとの間の距離を最小値Ｌ1（例えば、Ｌ1＝６０ｍｍ）とした状態で多心光ファイバケーブル心線３１２ｂ及びドロップケーブル心線３１３ｂの余長分を巻回して二つの溝３０２ｐ，３０２ｑに掛ける。
【００７８】
次に、巻回した心線余長の緩みがなくなる程度まで可動部材３０２ｂを移動させる。即ち、図９において一点鎖線で示す位置、例えば、固定部材３０２ａと可動部材３０２ｂとの間の距離が最大値Ｌ2（例えばＬ2＝１１０ｍｍ）となるように可動部材３０２ｂを移動させることにより、心線余長を保持・収納する。
【００７９】
即ち、作業者によって心線余長を大きめの輪、例えば、固定部材３０２ａと可動部材３０２ｂとの間の距離を最小値Ｌ1とした状態で溝３０２ｐ，３０２ｑに余裕をもって掛けられる程度の大きさの輪状となるように巻回し、図１０に示すように可動部材３０２ｂの位置を変えて緩みをなくすことで収納後の心線余長の占めるスペースを小さくしている。なお、図１０において溝３０２ｐ，３０２ｑは図示を省略した。
【００８０】
相互に隣接する光ファイバ心線接続収納体３０２にあっては、固定部材３０２ａと可動部材３０２ｂの位置は互い違いとしている。例えば、一つの光ファイバ心線接続収納体３０２が、左側に固定部材３０２ａ、右側に可動部材３０２ｂを配置した構成である場合、その上下に位置する光ファイバ心線接続収納体３０２は左側に可動部材３０２ｂ、右側に固定部材３０２ａを配置する構成としている。
【００８１】
つまり、固定部材３０２ａと可動部材３０２ｂとの間の距離を縮めた状態で、巻回した心線余長を溝３０２ｐ，３０２ｑに掛けたとき、心線余長によって形成された輪には緩みがあるため、下方の光ファイバ心線接続収納体３０２が配設された空間まで輪の緩みが垂れ下がる虞がある。
【００８２】
隣接する光ファイバ心線接続収納体３０２の固定部材３０２ａと可動部材３０２ｂの配置が相互に等しい場合、垂れ下がった輪の緩みが隣接する光ファイバ心線接続収納体３０２の固定部材３０２ａ、可動部材３０２ｂと接触し、余長収納作業に支障が生じる可能性があるが、本実施例では、隣接する光ファイバ心線接続収納体３０２の固定部材３０２ａと可動部材３０２ｂの位置を相互に互い違いにすることで、この課題を克服している。
【実施例４】
【００８３】
図１１〜図１３に基づいて本発明の第４の実施例を説明する。図１１は本実施例に係る光ケーブル接続用クロージャを模式的に示す斜視図、図１２はクロージャ内における光ファイバ心線の配線形態を示す説明図、図１３は本実施例の心線余長収納部を模式的に示す斜視図である。
【００８４】
図１１及び図１２に示すように、クロージャ筐体４０１の内部には、中空に形成された箱体としての光ファイバ心線接続収納体４１６、及び外被把持部４０６，４０７が配設されている。
【００８５】
光ファイバ心線接続収納体４１６の上壁部４１６ａはクロージャ筐体４０１の上壁４０１ａとの間に保留心線収納部４０９を形成し、側壁部４１６ｂ，４１６ｃはそれぞれクロージャ筐体４０１の左右の側壁４０１ｂ，４０１ｃとの間に通線部４１０，４１１を形成している。
【００８６】
なお、側壁部４１６ｂ，４１６ｃには、それぞれ上壁部４１６ａに平行に延びる複数（図１１，１２では１２箇所）の溝４１６ｅが形成されている。
【００８７】
更に、前壁部４１６ｄには６つの心線接続収納部４０２が設けられている。心線接続収納部４０２は上下方向にほぼ一列に配置されている。それぞれの心線接続収納部４０２は、光ファイバ心線接続収納体４１６の前壁部４１６ｄに、左右に間隔をおいて突設された二つの心線ガイド部４０２ｉと、心線ガイド部４０２ｉ間に穿設された孔部４０２ｒと、孔部４０２ｒの上方に形成されたリブ４０２ｇ，４０２ｈとから構成されている。心線ガイド部４０２ｉはそれぞれフック状に形成されて、光ファイバ心線の余長に所定の曲率半径（例えば５ｍｍ）を付与する。
【００８８】
外被把持部４０６，４０７は、光ファイバケーブルを導出入するためにクロージャ筐体４０１の下部、即ち下壁４０１ｄ上に設けられている。外被把持部４０６，４０７はそれぞれ複数個（図４，５では４個）隣接した状態で通線路４１０，４１１に配置され、それぞれ多心（例えば８心）の光ファイバケーブル４１２の外被４１２ａ又は単心のドロップケーブル４１３の外被４１３ａを把持する。
【００８９】
なお、保留心線収納部４０９及び通線路４１０，４１１には、それぞれ心線ガイド片４１４が設けられている。心線ガイド片４１４は、保留心線収納部４０９又は通線路４１０，４１１内の多心光ファイバケーブル心線４１２ｂをクロージャ筐体４０１内に収めて、クロージャ筐体４０１内からの多心光ファイバケーブル心線４１２ｂの飛び出しを防止するものである。
【００９０】
図１２に示すように、多心光ファイバケーブル４１２は、多心光ファイバケーブル外被４１２ａがクロージャ筐体４０１の導出入部で外被把持部４０６又は４０７によって把持され、クロージャ筐体４０１の内部においては多心光ファイバケーブル心線４１２ｂの状態で取り回す。
【００９１】
また、ドロップケーブル外被４１３ａは外被把持部４０６又は４０７によって把持され、クロージャ筐体４０１の内部においてはドロップケーブル心線４１３ｂの状態で取り回す。
【００９２】
クロージャ筐体４０１内へ導入した多心光ファイバケーブル心線４１２ｂをドロップケーブル心線４１３ｂと接続しないときは、保留心線収納部４０９内へ多心光ファイバケーブル心線４１２ｂの余長を収納し、そのままクロージャ筐体４０１から導出させる形態となる。
【００９３】
この際、多心光ファイバケーブル心線４１２ｂは、通線部４１０，４１１及び保留心線収納部４０９に設けられた心線ガイド片４１４によって、多心光ファイバケーブル心線４１２ｂをクロージャ筐体４０１内に収納し、クロージャ筐体４０１内からの多心光ファイバケーブル心線４１２ｂの飛び出しを防止する。
【００９４】
多心光ファイバケーブル心線４１２ｂとドロップケーブル心線４１３ｂとを接続する場合は、多心光ファイバケーブル心線４１２ｂを、例えばドロップケーブル外被４１３ａを外被把持部４０７によって把持されて心線の状態となったドロップケーブル心線４１３ｂと融着器やメカニカルスプライス等で接続する。このとき、接続部４１５及びその両側に延びる多心光ファイバケーブル心線４１２ｂ、ドロップケーブル心線４１３ｂそれぞれの余長分は心線接続収納部４０２に収納する。
【００９５】
即ち、図１３に示すように多心光ファイバケーブル心線４１２ｂとドロップケーブル心線４１３ｂとの接続部４１５はリブ４０２ｇ，４０２ｈの間に挟持固定することが可能となっている。接続部４１５には、融着補強スリーブやメカニカルスプライス部材を挟持固定する。
【００９６】
心線接続収納部４０２は、接続部４１５をリブ４０２ｇ，４０２ｈによって接続収納部に固定した後、作業者によって巻回した心線余長を孔部４０２ｒから挿入することで心線４１２ｂ，４１３ｂの余長を光ファイバ心線接続収納体４１６の中空部に収納する。なお、孔部４０２ｒは心線４１２ｂ，４１３ｂの余長の収納が容易であり、心線余長を挿入した後に孔部４０２ｒから心線が飛び出さないような大きさ、例えば、横幅ｗ＝３０ｍｍ、縦幅ｈ＝１０ｍｍ以下とする。
【００９７】
本実施例では、接続収納部のリブ４０２ｇ，４０２ｈの左右に、それぞれ心線４１２ｂ，４１３ｂの余長を孔部４０２ｒに導くための心線ガイド部４０２ｉを設置したことにより、接続部４１５の両端部において曲げが急峻になり、多心光ファイバケーブル心線４１２ｂ又はドロップケーブル心線４１３ｂが破断したり、曲げ損失が増加したりすることを防止することができる。
【００９８】
なお、本実施例においては接続収納部のリブ４０２ｇ，４０２ｈの左右に設けられた心線ガイド部４０２ｉをフック形状として記載したが、リブによる溝を設けて心線ガイド部とすることも可能である。
【実施例５】
【００９９】
図１４〜図１６に基づいて本発明の第５の実施例を説明する。図１４は本実施例に係る光ケーブル接続用クロージャを模式的に示す斜視図、図１５（ａ）は本実施例に係る光ファイバ心線接続収納部を模式的に示す斜視図、図１５（ｂ）は図１５（ａ）に示した光ファイバ心線接続収納部に心線を収納した例を示す説明図、図１６は本実施例の心線余長収納部を模式的に示す斜視図である。
【０１００】
本実施例は上述した実施例４と比較して心線余長収納部の構成が異なるものであり、その他の構成は実施例４と同様であって、同一の部材には同一の符号を付し、重複する説明は省略する。
【０１０１】
図１４に示すように、前壁部４１６ｄには６つの心線接続収納部５０２が設けられている。心線接続収納部５０２は上下方向にほぼ一列に配置されている。
【０１０２】
図１５（ａ）に示すように、心線接続収納部５０２は内部が空洞である箱体５０２ｕと、それぞれ箱体５０２ｕに突設され、間隔をおいて左右に配置された二つの心線ガイド部５０２ｉと、心線ガイド部５０２ｉ間に穿設された孔部５０２ｒと、孔部５０２ｒに挿入され、箱体５０２ｕからクロージャ筐体４０１の前方へ向かってスライド可能に設けられた引き出し部５０２ｓと、孔部５０２ｒの上方に設けられた接続収納部５０２ｃとから構成されている。
【０１０３】
心線ガイド部５０２ｉはそれぞれフック状に形成され、引き出し部５０２ｓは上部に引き出し部５０２ｓの出入方向、即ち孔部５０２ｒを貫通する方向に沿って延びる心線保持体５０２ｔを備えている。心線保持体５０２ｔは一端が引き出し部５０２ｓに固定され、他端が箱体５０２ｕから突出するように構成され、箱体５０２ｕから突出した部分は上方に屈曲している。なお、心線ガイド部５０２ｉは、光ファイバ心線の余長に所定の曲率半径（例えば５ｍｍ）を付与する。
【０１０４】
更に、接続収納部５０２ｃには、リブ５０２ｇ，５０２ｈが形成され、リブ５０２ｇ，５０２ｈの間で心線の接続部５１５を挟持固定することが可能となっている。接続部５１５には、融着補強スリーブやメカニカルスプライス部材を挟持固定する。
【０１０５】
心線接続収納部５０２は、接続部５１５を接続収納部に固定した後、作業者によって巻回した接続部５１５の両側から延びる心線余長を心線保持体５０２ｔに通した状態で収納する。心線保持体５０２ｔは、例えば断面が半径５ｍｍである円柱形状とする。これにより、心線保持体５０２ｔに心線余長を通すことで光ファイバの曲げ半径を５ｍｍ以上となるように確保して心線余長を収納する。なお、心線保持体５０２ｔの形状は、曲げ部における曲率半径を５ｍｍ以上とすれば、円柱に限らず多角柱としてもよい。
【０１０６】
心線余長収納時の引き出し部５０２ｓは、引き出し部５０２ｓをスライドさせて箱体５０２ｕから引き出した状態、または引き出し部５０２ｓを箱体５０２ｕに収納した状態のいずれも対応可能である。引き出し部５０２ｓをスライドさせるときは、心線保持体５０２ｔの箱体５０２ｕから突出し上向きに角度がついた部分に手をかけて引き出すことが可能である。このように、心線保持体５０２ｔの箱体５０２ｕから突出させた部分に角度を持たせることで引き出し部５０２ｓの移動を容易に、円滑に行うことができる。
【０１０７】
図１６に心線余長を心線保持体５０２ｔに収納し、引き出し部５０２ｓを箱体５０２ｕの内部に収めた状態の心線接続収納部５０２の断面図を示す。心線保持体５０２ｔの下方に位置する引き出し部５０２ｓの端部は光ファイバ心線接続収納体４１６の外側へ向かって傾斜した形状となっている。これにより、引き出し部５０２ｓを箱体５０２ｕへ収めた状態のまま、心線保持体５０２ｔへ心線余長を通し、巻回した心線余長を引き出し部５０２ｓの内部へ収納することが容易に行えるようになる。
【０１０８】
心線余長は、箱体５０２ｕの内部へ収納した後、心線保持体５０２ｔに通す前と比較して巻回した心線余長の輪の径が拡大した状態で収納されるため、光ファイバ心線接続収納体５０２に収納された心線余長が孔部５０２ｒから飛び出すことはない。
【０１０９】
さらに、接続収納部５０２ｃのリブ５０２ｇ，５０２ｈを挟んでそれぞれ心線の余長を孔部５０２ｒに導くための心線ガイド部５０２ｉを設置したことにより、接続部５１５の両端部において曲げが急峻になり、多心光ファイバケーブル心線４１２ｂ又はドロップケーブル心線４１３ｂが破断したり、曲げ損失が増加したりすることを防止することができる。
【０１１０】
なお、図１４及び図１５において、心線ガイド部５０２ｉをフック形状として記載したが、リブによる溝を設けて心線ガイド部とすることも可能である。
【０１１１】
上述した実施例１〜実施例５は、光ケーブルの接続、収納に使用するクロージャについて、ホーリー光ファイバの使用を前提として考案した。曲げ損失が小さなホーリー光ファイバの使用を前提とすることで、保留心線を一括して輪取りした状態で収納するとともに、心線余長収納部についても曲げ半径５ｍｍを確保しながら光ファイバ心線の収納作業効率を向上させることが可能である。また、従来のクロージャと比較して、サイズの小型化も可能になった。
【産業上の利用可能性】
【０１１２】
本発明は、光ケーブル接続用クロージャに適用可能である。
【図面の簡単な説明】
【０１１３】
【図１】本発明の実施例１に係る光ケーブル接続用クロージャを示す斜視図である。
【図２】図１の光ケーブル接続用クロージャにおける配線形態を示す説明図である。
【図３】本発明の実施例１の光ファイバ心線接続収納部を示す斜視図である。
【図４】本発明の実施例２に係る光ケーブル接続用クロージャを示す斜視図である。
【図５】図４の光ケーブル接続用クロージャにおける配線形態を示す説明図である。
【図６】図６（ａ）は実施例２において心線余長収納部を収縮させた状態を模式的に示す斜視図、図６（ｂ）は実施例２において心線余長収納部を伸張させた状態を模式的に示す斜視図である。
【図７】本発明の実施例３に係る光ケーブル接続用クロージャを示す斜視図である。
【図８】図７の光ケーブル接続用クロージャにおける配線形態を示す説明図である。
【図９】本発明の実施例３の光ファイバ心線接続収納部を部分的に示す斜視図である。
【図１０】光ファイバ心線接続収納部に心線余長を収納した状態を示す説明図である。
【図１１】本発明の実施例４に係る光ケーブル接続用クロージャを示す斜視図である。
【図１２】図１１の光ケーブル接続用クロージャにおける配線形態を示す説明図である。
【図１３】本発明の実施例４の光ファイバ心線接続収納部を示す斜視図である。
【図１４】本発明の実施例５に係る光ケーブル接続用クロージャを示す斜視図である。
【図１５】図１５（ａ）は実施例５に係る心線接続収納部を拡大して示す斜視図、図１５（ｂ）は図１５（ａ）に示す心線接続収納部に心線余長を収納した例を示す斜視図である。
【図１６】本発明の実施例５の光ファイバ心線接続収納部を示す断面図である。
【図１７】従来の光ケーブル接続用クロージャの一例を示す説明図である。
【符号の説明】
【０１１４】
１０１，２０１，３０１，４０１  クロージャ筐体
１０２，２０２，３０２，４０２，５０２  光ファイバ心線接続収納部
１０２ａ，１０２ｂ，２０２ａ，２０２ｂ  心線余長収納部
１０２ｃ，２０２ｃ  接続収納部
１０２ｉ，２０２ｉ，４０２ｉ，５０２ｉ  心線ガイド部
１０３，１０４，１０５，２０３，２０４，２０５，３０３、３０４，３０５  仕切り板
１０６，１０７，１０８，２０６，２０７、３０６，３０７，４０６，４０７  外被把持部
１０９，２０９，３０９，４０９  保留心線収納部
１１０，１１１，２１０，２１１，３１０，３１１  通線路
１１２，２１２，３１２，４１２  多心光ファイバケーブル
１１３，２１３，３１３，４１３  ドロップケーブル
１１４，２１４，３１４，４１４  心線ガイド片
１１５，２１５，３１５，４１５  接続部
２０２ｊ  螺旋溝
３０２ａ  固定部材
３０２ｂ  可動部材
３０２ｐ，３０２ｑ  溝
４０２ｒ  孔部
４１６  光ファイバ心線接続収納体（箱体）
５０２ｓ  引き出し部
５０２ｔ  心線保持部
【図１】
2008065210.tif 000003
【図２】
2008065210.tif 000004
【図３】
2008065210.tif 000005
【図４】
2008065210.tif 000006
【図５】
2008065210.tif 000007
【図６】
2008065210.tif 000008
【図７】
2008065210.tif 000009
【図８】
2008065210.tif 000010
【図９】
2008065210.tif 000011
【図１０】
2008065210.tif 000012
【図１１】
2008065210.tif 000013
【図１２】
2008065210.tif 000014
【図１３】
2008065210.tif 000015
【図１４】
2008065210.tif 000016
【図１５】
2008065210.tif 000017
【図１６】
2008065210.tif 000018
【図１７】
2008065210.tif 000019